(57)【特許請求の範囲】
【請求項１】
少なくとも一面にカートリッジが投入及び排出される開口面を各々備えた複数のカートリッジ保管部と、
前記複数の各カートリッジ保管部に備えられ、少なくとも前記カートリッジ保管部の開口面と交差するいずれかの面からカートリッジ保管部の内側に突出し、各カートリッジの排出を規制するカートリッジ投排規制部材と、
上位装置からの指示に基づき動作し、前記カートリッジ投排規制部材の前記カートリッジ保管部内側への突出及び突出状態の解除を制御する投排規制部材制御手段とを備え、
前記投排規制部材制御手段は、装置がレディ状態でない期間はカートリッジ投排規制部材を前記カートリッジ保管部内側へ突出させ、レディ状態の期間は複数のカートリッジ保管部のうち上位装置からの指示に基づいた、指示のあったカートリッジ保管部のカートリッジ投排規制部材の突出状態を解除することを特徴とするカートリッジライブラリ装置。
【発明の詳細な説明】
【０００１】
【発明の属する技術分野】
本発明は、複数のカートリッジを格納し、そのカートリッジの投入及び排出を制御するカートリッジライブラリ装置に関するものである。
【０００２】
【従来の技術】
複数のカートリッジを取り扱うライブラリ装置には、磁気テープカートリッジ、光ディスクカートリッジ等がある。これらのライブラリ装置では、カートリッジの投入及び排出は上位装置側で管理され、オペレータがカートリッジをライブラリ装置の制御なしに出し入れすることができない構造になっていた。
【０００３】
このような構造のライブラリ装置は、通常、カートリッジの投入及び排出を行うためのカートリッジ入出力アクセスステーション（以下ＣＡＳと称す）機構を持っていた。
以下、従来のカートリッジライブラリ装置における、一般的なカートリッジの投入及び排出動作を説明する。
【０００４】
図１２は、カートリッジライブラリ装置１００の内部構成図である。ここでＣＡＳ２は、カートリッジ投入排出口５と投入排出部３とで構成される。カートリッジ保管部４０には複数枚のカートリッジ１０が格納される。本例では回転型構造のカートリッジ保管部を示している。
図１３は光ディスクカートリッジライブラリ装置の外観図である。
【０００５】
オペレータがカートリッジ投入排出口５にカートリッジ１０を装置外部から投入すると、そのカートリッジ１０は投入排出部３に取り込まれる。投入排出部３は、そのカートリッジ１０を保持した状態で１８０度回転する。カートリッジ搬送部６０は装置上方に移動し、投入排出部３に保持されたカートリッジと対向する位置で停止する。カートリッジ搬送部は、図示しないアーム部でカートリッジ１０を把持した後、下方に移動しカートリッジ記録再生部７０に対向する位置で停止する。そしてカートリッジ１０をアーム部で押し出してカートリッジ記録再生部７０に装着する。カートリッジ記録再生部７０は、カートリッジ１０に対して情報の記録又は再生をする。記録又は再生処理がされたカートリッジ１０は、カートリッジ搬送部６０内のアームによってカートリッジ記録再生部７０から取り出される。カートリッジ搬送部６０は、カートリッジ１０をカートリッジ保管部４０に備えられた格納棚のいずれかに運搬する。
【０００６】
以上でカートリッジの投入が完了する。
カートリッジ保管部４０に収納されたカートリッジ１０は、その後必要に応じてカートリッジ記録再生部７０に運搬され、情報の記録又は再生処理がされた後、カートリッジ保管部４０の元の位置に戻される。
カートリッジ１０の記録時又は再生時にエラーが多く検出されるため交換する必要が生じたり、又は使用する予定がなくなった場合は、次の方法でカートリッジ１０をカートリッジ保管部４０から外部に排出する。
【０００７】
カートリッジ搬送部６０は、カートリッジ保管部４０又はカートリッジ記録再生部７０から排出すべきカートリッジ１０を取り出して、上方に移動し投入排出部３に対向する位置で停止する。カートリッジ搬送部６０が、カートリッジ１０を投入排出部３に格納した後、投入排出部３は１８０度回転してカートリッジ１０を投入排出口５に搬送し、その後投入排出口５がカートリッジ１０を移動させてオペレータが取り出せるようにする。
【０００８】
以上でカートリッジの排出が完了する。
【０００９】
【発明が解決しようとする課題】
ところで、計算機システムの再構築などの場合においてば、カートリッジ１０を一括してカートリッジ保管部４０に投入したり、又はカートリッジ保管部４０に入っているカートリッジ１０を一括して交換したいという要求が生じることもある。このような作業を効率よく行うことを可能とするために、ＣＡＳ２を備えながらも、これを介さずに、カートリッジ１０のカートリッジ保管部への投入及び排出をオペレータに許す機構を持つ装置もあった。
【００１０】
しかし、そのような機構を使用したカートリッジ１０の一括投入及び一括排出は、カートリッジ保管部４０の任意の格納棚に対して行われるため、作業後は上位装置１３が管理しているカートリッジ１０保管状態と現実のカートリッジ保管状態とが食い違うこととなる。
さらに、既に格納されていたカートリッジ１０が取り出される可能性があるためカートリッジ１０に格納されたデータに対する機密性の確保が完全ではなかった。
【００１１】
この問題を解決するために、従来のライブラリ装置にあっては、大量のカートリッジ１０の一括投入及び一括排出を可能とするカートリッジ一括投入排出機構１１０を設けて、カートリッジが一括投入排出機構１１０に装着された後に、装着されたカートリッジ１０を、カートリッジ搬送部６０に備えられたハンドアームが順次カートリッジ保管庫４０に搬送する仕組みをもったカートリッジライブラリ装置が発明された。
【００１２】
この装置によれば、カートリッジの投入及び排出は、ＣＡＳ２及びカートリッジ一括投入は移出機構１１０を経由してしか行えず、一旦カートリッジ１０が装置内部に取り込まれると、取り込まれたカートリッジ１０は、カートリッジ搬送部６０によって、装置内部のカートリッジ保管部４０とカートリッジ記録再生部７０間を移動するのみとなる。また、このカートリッジ搬送部６０やＣＡＳ２の制御は上位装置１３から行うようにされているため、取り込まれたカートリッジ１０を、カートリッジライブラリ装置からの制御なしに取り出す事が出来ない構造となっており、機密性は保証されている。
【００１３】
しかし、この発明によれば、カートリッジ１０の機密性は確保できるものの、装置が大型化することを避けることができない。
以上のように、C ＡＳ２のみを備えた装置では、装置の小型化は可能であるが、カートリッジ１０の一括投入及び一括排出を効率よく行えず、またカートリッジ１０の一括投入及び一括排出を行う機構を備え効率を向上させた場合には、上位装置１０が管理しているカートリッジ格納状態と現実の格納状態が食い違ったり、機密性が確保出来ない等の問題があった。
【００１４】
一方この問題を解決するためにカートリッジ１０の一括投入排出機構を持った装置には大型化せざるを得ないという問題があった。
このような問題を解決するために、本発明では、カートリッジ１０に対する機密性を確保し、かつ小規模なカートリッジライブラリ装置を実現することを目的とする。
【００１５】
【課題を解決するための手段】
以上の問題を解決するために、
請求項１に記載の発明は、カートリッジの投入及び排出をするための開口面を少なくとも一面に備えた複数のカートリッジ保管部と、該複数のカートリッジ保管部に備えられ、少なくとも前記カートリッジ保管部の開口面と交差するいずれかの面からカートリッジ保管部の内側に突出可能なカートリッジ投排規制部材と、該カートリッジ投排規制部材の動作を制御する投排規制部材制御手段と、を備えたカートリッジライブラリ装置を提供する。
【００１６】
図１を用いて本発明の原理を示す。
本発明では、オペレータによるカートリッジ１０の直接投入及び排出を可能にするために、装置外側に開口部を有するカートリッジ保管部４（４ー１〜４ーＮ）を備える。カートリッジ保管部４は、カートリッジ投排規制部材１１（１１ー１〜１１−Ｎ）を有する。上位装置１３は投排規制部材制御手段１２を介して目的のカートリッジ保管部４に対応するカートリッジ投排規制部材１１を駆動してカートリッジ１０の投入及び排出の許可及び規制をする。カートリッジ投排規制部材１１は、各カートリッジ保管部４毎にカートリッジ１０の投入及び排出を規制するために、それぞれに独立に動作する構造である。
【００１７】
また、カートリッジ１０の一括投入及び一括排出処理を行うためには、複数のカートリッジ保管部４に渡って備えられる一つのカートリッジ投排規制部材１１ー２を駆動させる。あるいは、各々のカートリッジ保管部毎に独立に備えられているカートリッジ投排規制部材（１１ー１、１１−Ｎ）を一括して動作させても良い。また、独立のカートリッジ投排規制部材と複数の保管部に渡って備えられる一つのカートリッジ投排規制部材とを同時に動作させることでも目的は達せられる。
【００１８】
このように、請求項１に記載のカートリッジライブラリ装置は、複数のカートリッジの一括投入及び排出を可能にすると共に、カートリッジに対する機密性も十分に保証する。
請求項２記載の発明は、前記投排規制部材制御手段（１２）は、装置がレディ状態でない期間はカートリッジ投排規制部材を突出させ、レディ状態の期間は上位装置に指定されたカートリッジ保管部に備えたカートリッジ投排規制部材１１の突出状態を解除するカートリッジライブラリ装置である。
【００１９】
このように、請求項２記載のカートリッジライブラリ装置は、装置がレディ状態でない場合でも、カートリッジを取り出すことが不可能であり、カートリッジに対する機密性を確保することが可能なカートリッジライブラリ装置である。
【００２３】
【実施の形態】
【００２４】
【実施例】
本発明の実施例を、図２から図１１を用いて説明する。
図２は、本発明のカートリッジライブラリ装置の全体を示す。ここでカートリッジとは、磁気テープ、光ディスクカートリッジ、リムーバブルカートリッジ等の可換媒体をいう。また、本実施例は、カートリッジ保管部４、カートリッジ記録再生部７、カートリッジ投排規制部材１１、投排規制部材制御手段１２、不揮発性記憶部８、カートリッジ１０を搬送するカートリッジ搬送部６及びレール２１を含むカートリッジライブラリ部１をパーソナコンピュータに組み込んでいるが、カートリッジライブラリ部１を独立した筐体にしてもよい。本発明に使用するキーボード等の入力手段２０と、不揮発性記憶部８は上位装置側に含めてもよい。
【００２５】
本発明におけるカートリッジの投入及び排出の動作を説明するために、装置全体の動作をブロック図とフローチャートで説明し、その後でカートリッジ投排規制部材の構造について説明する。  図３は、カートリッジライブラリ装置のブロック図である。
図３において、カートリッジ保管部４には、カートリッジ１０が格納可能であり、カートリッジ保管部にはカートリッジ１０の投入及び排出を禁止又は許可するカートリッジ投排規制部材１１を備える。なお、図３のカートリッジ保管部４及びカートリッジ投排規制部材１１は一個のブロックで示しているが、先の本発明の原理説明で説明した通り、カートリッジ投排規制部材１１はカートリッジ保管部４ごとに各々、または一つのカートリッジ投排規制部材１１が複数のカートリッジ保管部に渡って備えられている。ここで、カートリッジ投排規制部材１１を備えないカートリッジ保管部があることはいうまでもない。
【００２６】
投排規制部材制御手段１２は、上位装置（以下ＣＰＵと称す）１３の指示により、カートリッジ投排規制部材１１をカートリッジ保管部の内側に向かって突出させたり、突出状態を解除したりして、カートリッジ１０の投入及び排出を制御する。
電源オフ等により制御手段が機能しない期間は、電圧低下を検出することによってカートリッジ投排規制部材１１を突出させる。また、電磁石を利用することで、電圧低下の検出等をせずに、磁力によってカートリッジ投排規制部材１１を突出させてもよい。
【００２７】
カートリッジ搬送部６は、ＣＰＵ１３の指示により、カートリッジ保管部４からカートリッジ１０を取り出してカートリッジ記録再生部７に運搬し、データの再生及び記録が終了した後、再び元のカートリッジ保管部４に格納する搬送機構である。カートリッジ記録再生部は、光ディスク装置、磁気テープ装置、ハードディスク装置、フロッピーディスクの様な交換可能なカートリッジ型の記録媒体に対してデータの記録又は再生を行う装置である。通常カートリッジを自動的に装着するための自動装着機構や、記録又は再生処理が終了した後カートリッジ１０を排出する排出機構を備えている。
【００２８】
不揮発性記憶部８は、暗証コードを記録するために使用され、装置への電源供給が断たれている期間でも暗証コードが失われないように保持するものである。オペレータが入力手段２０から暗証コードを入力すると、ＣＰＵ１３はこれを不揮発性記憶部８に書き込む。
カートリッジの投入及び排出の際には、暗証コード比較手段９は、予め不揮発性記憶部８に記録された暗証コードを読み出し、これと新たにオペレータが入力した暗証コードとを比較して、その結果の一致又は不一致をＣＰＵ１３に報告する。
【００２９】
ＣＰＵ１３は、カートリッジライブラリ装置を制御して、カートリッジの管理及びカートリッジへの情報の記録又は再生をする機能を有している。
入力手段２０は、暗証コードを入力したり、必要に応じてカートリッジの投入及び排出要求をＣＰＵ１３に通知するために使用される。
電源２１は、カートリッジ情報処理装置に対する電源である。
【００３０】
図４は、カートリッジの投入及び排出のフローチャートである。
オペレータは、カートリッジ１０をカートリッジ保管部４に投入する場合、入力手段２０よりカートリッジ投入要求を上位装置（ＣＰＵ１３）に暗証コードと共に通知する（Ｓ２０３）。但し、暗証コードの通知は、ＣＰＵ１３が暗証コードを記録する迄の間であればいつでも良い。
【００３１】
ＣＰＵ１３は、オペレータが要求したカートリッジ保管部４が空き状態であることを確認すると、投排規制部材制御手段１２を経由して、要求のあったカートリッジ保管部４に備えられたカートリッジ投排規制部材１１の突出状態を解除させる（Ｓ２０８）。
オペレータは、目的のカートリッジ保管部４にカートリッジ１０を投入する（Ｓ２１３）。ＣＰＵ１３は、カートリッジ保管部内にある図示されないカートリッジ検出部よりカートリッジ１０が投入されたことを検出すると（Ｓ２１６）、カートリッジ投排規制部材１１をカートリッジ保管部内側へ突出させ、カートリッジの排出を禁止する（Ｓ２１８）。
【００３２】
ＣＰＵ１３は、暗証コードを、不揮発性記憶部８に記憶させる（Ｓ２２１）。不揮発性記憶部８の所在は、カートリッジライブラリ装置内であると外部であるとを問わない。また不揮発性記憶部８は、ＩＣメモリやファイル記憶装置、例えば磁気ディスク装置でもよい。
カートリッジ１０を外部から一括投入する場合には、オペレータは、入力手段２０より一括投入要求を、対象とするカートリッジ保管部の位置とともにＣＰＵ１３に通知する（Ｓ２０３）。ＣＰＵ１３は、一括投入を要求されたカートリッジ保管部４が空き状態であることを確認すると、投排規制部材制御手段１２を経由して当該カートリッジ保管部に対応するカートリッジ投排規制部材１１の突出状態を解除させる（Ｓ２０９）。前述のように、カートリッジ投排規制部材は各カートリッジ保管部ごとに備えても、一つのカートリッジ投排規制部材を複数のカートリッジ保管部に渡って備えても、あるいは両者を同時に備えても構わない。したがって、装置の構成によって動作対象となるカートリッジ投排規制部材１１は異なる。
【００３３】
オペレータは、複数のカートリッジ１０を、指定したカートリッジ保管部４に投入する（Ｓ２１３）。ＣＰＵ１３は、図示されないカートリッジ検出部より、それぞれのカートリッジが投入されたことを検出すると（Ｓ２１６）、カートリッジ投排規制部材１１をカートリッジ保管部内側に突出させてカートリッジの排出を規制する（Ｓ２１８）。
【００３４】
ＣＰＵ１３は、オペレータが入力した暗証コードを不揮発性記憶部８に記憶させる。
このようにしてカートリッジ保管部４に格納されたカートリッジ１０は、ＣＰＵ１３の指示によって、カートリッジ搬送部６によりカートリッジ記録再生部７に運搬されて、情報の記録又は再生処理がなされる。
【００３５】
処理が終わったカートリッジ１０は、カートリッジ搬送部６によって再び元のカートリッジ保管部４に戻される。
次に、カートリッジ１０にエラーが発生したり、使用予定がなくなった場合に、カートリッジを交換するためにカートリッジライブラリ装置から排出する場合について説明する。
【００３６】
オペレータが、カートリッジ１０をカートリッジ保管部４から排出しようとする場合、入力手段２０よりカートリッジ排出要求を、排出すべきカートリッジの位置と暗証コードとともに入力手段２０からＣＰＵ１３に通知する（Ｓ１０６）。
ＣＰＵ１３は、オペレータからカートリッジの排出を要求されたことを認識すると、不揮発性記憶部８から予め記録された暗証コードを読み出す（Ｓ１０７）。この暗証コードは、オペレータが入力した暗証コードと比較される。比較した結果、一致した場合は、ＣＰＵ１３は、投排規制部材制御手段１２に対して、該当するカートリッジ保管部４のカートリッジ投排規制部材１１の突出状態を解除するよう指示する（Ｓ１１４）。オペレータが、カートリッジ保管部４よりカートリッジ１０を取り出すと（Ｓ１１７）、図示されないカートリッジ検出部によって保管部４からカートリッジ１０がなくなった事が認識され、ＣＰＵ１３は、排出されたカートリッジ保管部に対応する暗証コードを不揮発性記憶部８から消去する（Ｓ１２０）とともに、カートリッジ投排規制部材１１を再びカートリッジ保管部内側に突出させ（Ｓ１２２）、その後カートリッジ１０が不正にカートリッジ保管部４に投入されることを防止する。
【００３７】
オペレータが入力した暗証コードが、予め記録された暗証コードと一致しない場合は、不正にカートリッジ１０の排出要求がされたものと判断し、ＣＰＵ１３は、カートリッジ投排規制部材１１への動作指示を行わない。したがって、カートリッジ１０を取り出すことは不可能であり、カートリッジに対する機密性が保証される。フローチャートでは、暗証コードエラーとしている（Ｓ１１１）。
【００３８】
オペレータがカートリッジ１０を一括排出する場合も、カートリッジ投排規制部材１１を一括して突出状態から解除する（Ｓ１１５）以外は、上記と同様な処理となる。
以上で、カートリッジライブラリ装置を含むシステム全体の動作の説明は終了する。
【００３９】
次に、本発明のカートリッジ保管部４及びカートリッジ投排規制部材１１の個々の動作について図５から図１１を用いて説明する。
図５では、カートリッジ投排規制部材１１は、複数のカートリッジ保管部の各々に備えられ、モータと偏心カムにより、上下方向に摺動し、カートリッジの投入及び排出の規制及び許可を行うスライド型を表す。
【００４０】
カートリッジ投排規制部材１１の構造には、このほかに、図６に示すように、電磁石によってカートリッジ投排規制部材１１を上下に摺動させるもの、図７に示すように、モータでカートリッジ投排規制部材１１を回転させるもの等があり、構造そのものを限定するものではない。
図５においては、電圧が下がると、ここでは図示していない投排規制部材制御手段１２よって電圧低下が検出され、カートリッジ投排規制部材１１をカートリッジ保管部の開口面をふさぐ位置に移動させ、カートリッジの投入及び排出を規制する。このため、装置がレディ状態でない期間は、カートリッジが取り出されたり、新たに投入されたりすることを防ぐ。
【００４１】
また、図６においては、カートリッジ投排規制部材が電磁石を用いた構造であるため、電圧低下を検出する必要はなく、電流供給されなくなると磁力がなくなり、図６（ｂ）に示す様に、カートリッジ保管部の開口面をふさぐ位置に維持される。その他、図７の回転型についてもスライド型と同様であるので、説明は省略する。
【００４２】
図８から図１０は、一つのカートリッジ投排規制部材１１を複数のカートリッジ保管部に渡って備えた場合における、カートリッジの一括投入及び一括排出の制御を示す。各図において、カートリッジ投排規制部材１１をカートリッジ保管部の開口面をふさぐ位置に移動させる機構は、図５から図７の場合と同様のものが考えられる。しかし、図８かさ図１０に示したものは、個々のカートリッジ保管部に、各々カートリッジ投排規制部材１１を持つのではなく、一つのカートリッジ投排規制部材１１が複数のカートリッジ保管部に渡って備えられていることに特徴がある。
【００４３】
また、これら、カートリッジ保管部ごとに各々備えられたカートリッジ投排規制部材１１又は複数のカートリッジ保管部に渡る一つのカートリッジ投排規制部材１１は、図８から図１０に示す様に、カートリッジ搬送部６がカートリッジ保管部４に保管されているカートリッジ１０を、カートリッジ記録再生部７に運搬するために取り出したり、カートリッジ記録再生部７で記録又は再生処理が終了したカートリッジを元の位置のカートリッジ保管部４に戻すときに、カートリッジが装置の外側に脱落しないように、カートリッジを押さえる働きをする。
【００４４】
次に、カートリッジに対する機密性が要求されない場合のカートリッジライブラリ装置について説明する。
図１１は、カートリッジ投排規制部材１１を備えないカートリッジ保管部４ーＮの一例を示す。図１１は、その部分断面図である。カートリッジ保管部４ーＮの上部部材の奥行きは、カートリッジが格納された場合の当該カートリッジの奥行きよりも短くなっている。また、カートリッジ保管部の下部部材は、カートリッジが格納された場合の当該カートリッジの奥行きよりも長い平坦部を備え、かつ該平坦部はカートリッジ保管部に備えられた開口部側の端部に、図面上方に突出した抑え部を備えている。
【００４５】
このような形状のカートリッジ保管部に対してカートリッジの投入及び排出を行う場合は、図１１（ａ）に示すように、カートリッジ１０を傾けて行う。図１１（ｂ）は、カートリッジ保管部４ーＮにカートリッジ１０が格納された状態を示す図である。カートリッジ保管部４−Ｎの下部には前述の抑え部が備えられているので、この抑え部がカートリッジ１０の外側への脱落を防止する機能を果たす。
【００４６】
以上のように、本発明によれば、小型で、かつカートリッジに対する機密性の確保をも十分に保証できるカートリッジライブラリ装置を提供することが可能となり、パーソナルコンピュータ等への組み込みも可能となる。
【００４７】
【発明の効果】
本発明によって、従来の大型カートリッジライブラリ装置と同等な機密性を確保し、かつパーソナルコンピュータ等にも組み込み可能な小型化に適したカートリッジライブラリ装置を実現できる。
装置がレディ状態の期間のみならず、装置がレディ状態でなく投排規制部材制御手段が動作できない期間でも、カートリッジの投入及び排出を禁止可能とし、カートリッジに対する機密性が確保できる。
【図面の簡単な説明】
【図１】本発明の原理図である。
【図２】本発明のカートリッジライブラリ装置の全体図である。
【図３】本発明のカートリッジライブラリ装置のブロック図である。
【図４】カートリッジの投入及びは排出のフローチャートである。
【図５】偏心カムを用いたカートリッジ投排規制部材を備えたカートリッジ格納部の実施例である。
【図６】電磁石を用いたカートリッジ投排規制部材を備えたカートリッジ格納部の実施例である。
【図７】回転型カートリッジ投排規制部材を備えたカートリッジ格納部の実施例である。
【図８】偏心カムを用いた一体型カートリッジ投排規制部材を備えたカートリッジ格納部の実施例である。
（ａ）カートリッジ規制時の一体型カートリッジ投排規制部材を示した図である。
（ｂ）カートリッジ非規制時の一体型カートリッジ投排規制部材を示した図である。
【図９】電磁石を用いた一体型カートリッジ投排規制部材を備えたカートリッジ格納部の実施例である。
（ａ）カートリッジ規制時の一体型カートリッジ投排規制部材を示した図である。
（ｂ）カートリッジ非規制時の一体型カートリッジ投排規制部材を示した図である。
【図１０】回転型一体カートリッジ投排規制部材を備えたカートリッジ格納部の実施例である。
（ａ）カートリッジ規制時の一体型カートリッジ投排規制部材を示した図である。
（ｂ）カートリッジ非規制時の一体型カートリッジ投排規制部材を示した図である。
【図１１】カートリッジ投排規制部材を備えないカートリッジ保管部の断面図である。
（ａ）カートリッジの投入及び排出時を示した図である。
（ｂ）カートリッジ格納時を示した図である。
【図１２】従来のカートリッジライブラリ装置の内部構成図である。
【図１３】従来のカートリッジライブラリ装置の外観図である。
【符号の説明】
１  カートリッジライブラリ装置
２  カートリッジ入出力アクセスステーション（ＣＡＳ）
３  投入排出部
４（４ー１〜４−Ｎ）カートリッジ保管部
５  カートリッジ投入排出口
６  カートリッジ搬送部
７  カートリッジ記録再生部
８  不揮発性記憶部
９  暗証コード比較手段
１０  カートリッジ
１１（１１−１〜１１−Ｎ）  カートリッジ投排規制部材
１２  投排規制部材制御手段
１３  上位装置（ＣＰＵ）
２０  入力手段
【図１】
0003539113.tif 000002
【図２】
0003539113.tif 000003
【図３】
0003539113.tif 000004
【図４】
0003539113.tif 000005
【図５】
0003539113.tif 000006
【図６】
0003539113.tif 000007
【図７】
0003539113.tif 000008
【図８】
0003539113.tif 000009
【図９】
0003539113.tif 000010
【図１０】
0003539113.tif 000011
【図１１】
0003539113.tif 000012
【図１２】
0003539113.tif 000013
【図１３】
0003539113.tif 000014